(57)【要約】【課題】１本の竹から柄と熊手本体を一体に形成することができ、製作の容易化、耐久性の向上を図れる竹製の熊手を提供する。【解決手段】熊手本体２が、竹製の柄１の先側の節３から更に先方へ延出した竹管５の半割り部５ｂを数等分に割って複数本の割り竹６とするとともに、この複数本の割り竹６を先拡がり状に編んで成り、各割り竹６の先端はかぎ形に曲げて成る。【選択図】      図１
2004201618.tif 000002
【特許請求の範囲】
【請求項１】
先側に節を有する竹製の柄と、この柄の前記節より更に先に一体に形成された前記竹からなる熊手本体とを備えており、前記熊手本体が、前記柄の先側の節から更に先方へ延出した竹管の半割り部を数等分に割って複数本の割り竹とするとともに、この複数本の割り竹を先拡がり状に編んで成り、各割り竹の先端はかぎ形に曲げて成ることを特徴とする、竹製の熊手。
【請求項２】
前記柄の尾端は節を残した形に形成している、請求項１記載の竹製の熊手。
【請求項３】
竹製の柄の先側の節から先方へ延出する竹管を二つ割りし、その一方の半割り部を切り取って他方の半割り部を前記柄の節より先方に残し、この残された半割り部を数等分に割って複数本の割り竹を形成し、次いで、この複数本の割り竹の長手方向中間部の表裏面を一対の挟持部材で挟み、各割り竹の挟まれた部分と前記挟持部材とをそれぞれ結束バンドで巻締めて結束固定することを特徴とする、竹製の熊手の製造方法。
【発明の詳細な説明】
【０００１】
【発明の属する技術分野】
本発明は、落葉やゴミなどを掻き集めたり、庭木等の剪定により該庭木等の上に堆積する枝や葉を掻き落としたりするのに使われる竹製の熊手及びその製造方法に関する。
【０００２】
【従来の技術】
この種の熊手は、竹製の柄と、それとは別体に、複数の割り竹を針金等で編んでなる熊手本体とからなり、熊手本体は柄の先に針金等の巻締め体で巻き付けて結合固定されている（例えば、特許文献１参照。）。
【０００３】
【特許文献１】
特開２００２−２１２９２８号公報
【０００４】
【発明が解決しようとする課題】
しかるに、竹製の柄と熊手本体とを別体に構成する上記熊手では、製作に際し両者を針金等の巻締め体で巻き付けて固定する面倒な手間を要するばかりか、使用に伴い巻締め体の弛緩や破断などにより両者が分離、分解してしまう不具合があった。また、熊手本体を構成する複数の割り竹はこれの基部が針金等で集束される構造であるがために、煩雑な集束手間を要するばかりか、針金の不慮の断線事故により割り竹がばらける等の問題もあった。
【０００５】
本発明は、上記のような問題を解決するためになされたもので、その目的とするところは、１本の竹から柄と熊手本体を一体不可分に作ることにより製作の容易化を図れ、またシンプルな構造で破損のおそれがなく、耐久性に優れる竹製の熊手及びその製造方法を提供することにある。
【０００６】
【課題を解決するための手段】
本発明の竹製の熊手は、先側に節を有する竹製の柄と、この柄の前記節より更に先に一体に形成された前記竹からなる熊手本体とを備えており、前記熊手本体が、前記柄の先側の節から更に先方へ延出した竹管の半割り部を数等分に割って複数本の割り竹とするとともに、この複数本の割り竹を先拡がり状に編んで成り、各割り竹の先端はかぎ形に曲げて成ることに特徴を有するものである。
【０００７】
この場合において、前記柄の尾端は節を残した形に形成することができる。
【０００８】
本発明の竹製の熊手の製造方法は、竹製の柄の先側の節から先方へ延出する竹管を二つ割りし、その一方の半割り部を切り取って他方の半割り部を前記柄の節より先方に残し、この残された半割り部を数等分に割って複数本の割り竹を形成し、次いで、この複数本の割り竹の長手方向中間部の表裏面を一対の挟持部材で挟み、各割り竹の挟まれた部分と前記挟持部材とをそれぞれ結束バンドで巻締めて結束固定することに特徴を有するものである。
【０００９】
【作用】
上記構成の熊手によれば、熊手本体は竹製の柄の先側の節から先方へ延出した竹管の半割り部を数等分に割って形成し、柄と熊手本体とは一体不可分に形成してあるので、柄と熊手本体が別々に形成されて組み立てられる従来の熊手のごとく柄と熊手本体とを巻締め体で締め付ける加工は省略することができ、それだけ数少ない部材点数及び工数で容易に製作でき、また柄と熊手本体とが分離する問題も無くなる。
【００１０】
熊手本体を構成する複数本の割り竹の全てが柄の節より先の竹管の半割り部を割って成るもので、この割り竹の基部側には節が存在するので、割り竹が基部でばらける問題が無いことは勿論のこと、割り竹が更に深く裂ける危惧もなく、したがって割り竹の基部がばらけたり、必要以上に裂けたりするのを防止するために割り竹の基部を針金等で集束する特別な加工手段を施す必要が無くなる。
【００１１】
柄の尾端は節を残した形に形成しておくと、その節が柄の割れ防止機能を発揮し、また柄を持つ手が節の隆起部に引っ掛かるため柄の尾端より滑り出すのを阻止するという柄上の長手方向での滑り止め機能をも発揮する。
【００１２】
本発明の上記製造方法によれば、上記構成の熊手を容易に製造することができる。
【００１３】
【発明の実施の形態】
以下、本発明の好適な実施形態を図面に基づき説明する。図１は本発明の一実施例を示す竹製の熊手の斜視図、図２は図１の熊手の半加工品の斜視図、図３は図１におけるＡ−Ａ線拡大断面図である。
【００１４】
本発明の竹製の熊手は、１本の所定長さの竹Ｂ（図２参照）から図１に示すごとく柄１と熊手本体２とが一体に製作されてなる。柄１はその先および尾端にそれぞれ節３，４を有している。
【００１５】
熊手本体２は次のような要領で竹製の柄１と一体に形成される。まず、図２に示すように、竹製の柄１の先側の節３から先方へ延出する竹管５を二つ割りし、その一方の半割り部５ａを切り取って他方の半割り部５ｂを柄１の節３より先方に残し、この残された半割り部５ｂを数等分に割って図１のように複数本の割り竹６を形成する。その切り取られた半割り部５ａは後述の挟持部材７に利用することができる。
【００１６】
次いで、この複数本の割り竹６をプラスチック製の結束バンド８及び帯板状の挟持部材７，７で先拡がり状に編む。結束バンド８は、図３に示すように、片面に係合歯９を所定ピッチで列設したバンド本体１０と、このバンド本体１０の基端部に該バンド本体１０の先端が挿通される挿通孔１１、およびこの挿通孔１１内に前記係合歯９と抜け止め状に係合する係止爪１２を有するヘッド部１３が一体に形成されている。挟持部材７は前記の竹管５から切り取られた半割り部５ａを利用しこれを帯板状に削って作ることで竹材のロスを少なくできる。
【００１７】
これら結束バンド８と挟持部材７を用いて複数本の割り竹６を先拡がり状に編むには、図１、図３に示すように、複数本の割り竹６の長手方向中間部の表裏面が挟持部材７，７で挟まれ、各割り竹６の挟まれた部分と挟持部材７，７とがそれぞれ結束バンド８で巻締められて結束固定される。その際、複数本の割り竹６の全てが節３を基部側として該節３より先部分で先拡がり状に拡げられるので、割り竹６群が基部でばらける問題はなく、また更に深く裂ける危惧もない。したがって、それらの不具合を防止するために割り竹６群の基部を針金等により集束する等の加工手段を殊更施す必要が無く、それだけ簡単にかつ少ない材料で作ることができる。各割り竹６の先端６ａは火にあぶりながらかぎ形に曲げる。
【００１８】
このようにして作られた熊手は、竹製の柄１の節３より先に熊手本体２がひとつながりに一体形成されているので、製作に際して柄１と熊手本体２との結合加工が不要であることは勿論のこと、しかも使用に伴い熊手本体２が柄１の先から分離、離脱するおそれは全くなく、耐久性が向上する。
【００１９】
柄１の尾端は節４を残した形に形成してあるので、使用時に柄１を握る手の柄１上の長手方向での滑り止めになり、また柄１の割れを防止することもできてこの点でも耐久性に優れる。因みに、柄１を構成する節３，４間の竹管の外周一部には縦溝１４が既存するが、この縦溝１４は柄１を握る手が柄１上で円周方向に滑るのを阻止する滑り止めに利用できる。
【００２０】
複数本の割り竹６を先拡がり状に編むに際しプラスチック製の結束バンド８を用いると簡単かつ強固に編むことができて有利であるが、それに代えて、針金等で編むこともできる。なお、柄１は先側の節３と尾端側の節４の２つの節を持つ長さに限定されるものではなく、更に長い柄１を得たい場合は３つ以上の節を持つ長さに構成することもできる。
【００２１】
【発明の効果】
本発明によれば、１本の竹から柄と熊手本体を一体に形成した熊手を得るので、数少ない部材および工数で容易に製作でき、またシンプルな構造で破損少なく、耐久性に優れる竹製の熊手を安価に提供できて有利である。
【図面の簡単な説明】
【図１】一実施例を示す竹製の熊手の斜視図である。
【図２】図１の熊手の半加工品の斜視図である。
【図３】図１におけるＡ−Ａ線断面図である。
【符号の説明】
１  柄
２  熊手本体
３，４ 節
５  竹管
５ｂ  半割り部
６  割り竹
７  挟持部材
８  結束バンド
【図１】
2004201618.tif 000003
【図２】
2004201618.tif 000004
【図３】
2004201618.tif 000005